(57)【特許請求の範囲】
【請求項１】
室内熱交換器、室内ファン、室外熱交換器及び室外ファンが一体に設けられ、上記室内熱交換器及び上記室内ファンが配置された室内側室と、上記室外熱交換器及び上記室外ファンが配置された室外側室とが仕切板により区画された空気調和装置において、
上記仕切板が設置される底板に上記室外熱交換器が配置され、この底板には、上記室外熱交換器の近傍に、ドレン水の流れを堰き止める堰部材が一体に形成され、上記堰部材は、中央部が上記室外熱交換器と上記室外ファンとの間を底板の幅方向に延びるとともに両端部が上記室内側室方向に延びるコ字形状に形成され、上記底板におけるコ字形状の堰部材の外側領域に上記室外熱交換器を配置するとともに当該外側領域に上記ドレン水を排水するドレン排水口を設け、暖房運転時に蒸発器として機能する上記室外熱交換器にて生成される上記ドレン水を上記外側領域に流下させたことを特徴とする空気調和装置。
【請求項２】
上記底板は、展性が高い絞り材にて構成され、上記堰部材が絞り加工により一体成形されたことを特徴とする請求項１に記載の空気調和装置。
【請求項３】
上記堰部材は、室外ファンを収納するファンケーシングに当接するよう構成されたことを特徴とする請求項１または２に記載の空気調和装置。
【発明の詳細な説明】
【０００１】
【発明の属する技術分野】
本発明は、室内熱交換器、室内ファン、室外熱交換器及び室外ファンが一体に設けられた空気調和装置に係り、特に底板の構造を改善した空気調和装置に関する。
【０００２】
【従来の技術】
空気調和装置には、室内熱交換器、室内ファン、室外熱交換器及び室外ファンが一体に設けられ、室内熱交換器及び室内ファンが配置された室内側室と、室外熱交換器及び室外ファンが配置された室外側室とが仕切板により画成された一体型の空気調和装置がある。
【０００３】
上記室内側室には、室内熱交換器を載置するドレンパンが設置される。このドレンパンは、上記仕切板を立設状態で固着する底板に配設される。この底板に、室外熱交換器が載置される。
【０００４】
このような空気調和装置では、冷房運転時に蒸発器として機能する室内熱交換器にて生成されたドレン水は、ドレンパンを経て底板へ流れて貯溜される。このドレン水は、室外ファンのスリンガリングの回転により掻き上げられ、凝縮器として機能する室外熱交換器へ飛散されて、この凝縮器の凝縮能力を向上させる。
【０００５】
底板には、上述のようにしてドレン水を貯溜するために堰部材が設置されている。また、この堰部材は、暖房運転時に蒸発器として機能する室外熱交換器にて生成されたドレン水が堰部材の内側に流入し、この流入したドレン水が凍結して、スリンガリングに衝突することを防止する機能もある。
【０００６】
【発明が解決しようとする課題】
上述の機能を有する堰部材は、従来、底板とは別体部品にて製作され、スポット溶接等により底板に固着され、これらの間に防水処理が施されて構成されている。従って、底板の製造コストが上昇してしまう。
【０００７】
本発明の目的は、上述の事情を考慮してなされたものであり、底板の製造コストを低減できる空気調和装置を提供することにある。
【０００８】
【課題を解決するための手段】
請求項１に記載の発明は、室内熱交換器、室内ファン、室外熱交換器及び室外ファンが一体に設けられ、上記室内熱交換器及び上記室内ファンが配置された室内側室と、上記室外熱交換器及び上記室外ファンが配置された室外側室とが仕切板により区画された空気調和装置において、上記仕切板が設置される底板に上記室外熱交換器が配置され、この底板には、上記室外熱交換器の近傍に、ドレン水の流れを堰き止める堰部材が一体に形成され、上記堰部材は、中央部が上記室外熱交換器と上記室外ファンとの間を底板の幅方向に延びるとともに両端部が上記室内側室方向に延びるコ字形状に形成され、上記底板におけるコ字形状の堰部材の外側領域に上記室外熱交換器を配置するとともに当該外側領域に上記ドレン水を排水するドレン排水口を設け、暖房運転時に蒸発器として機能する上記室外熱交換器にて生成される上記ドレン水を上記外側領域に流下させたことを特徴とするものである。
【０００９】
請求項２に記載の発明は、請求項１に記載の発明において、上記底板は展性が高い絞り材にて構成され、上記堰部材が絞り加工により一体成形されたことを特徴とするものである。
【００１１】
請求項３に記載の発明は、請求項１または２に記載の発明において、上記堰部材は、室外ファンを収納するファンケーシングに当接すよう構成されたことを特徴とするものである。
【００１２】
請求項１に記載の発明には、次の作用がある。
【００１３】
室外熱交換器が配置される底板には、この室外熱交換器の近傍に、ドレン水の流れを堰き止める堰部材が一体に形成されたことから、この堰部材を底板とは別体部品にて製作し、この別体部品を底板に固着し、これらの間に密封処理を施す場合に比べて、底板の製造コストを低減できる。また、堰部材は、中央部が底板の幅方向に延びるコ字形状に形成されたことから、室外熱交換器が凝縮器として機能するときには、堰部材の内側にドレン水を貯溜し、このドレン水を、室外ファンのスリンガリングの回転により凝縮器に飛散させて凝縮能力を向上させ、また、室外熱交換器が蒸発器として機能するときには、この蒸発器にて生成されたドレン水が堰部材の内側に流入して、この流入したドレン水が凍結してスリンガリングに衝突することを防止できる。
【００１４】
請求項２に記載の発明には、次の作用がある。
【００１５】
堰部材が絞り加工により一体成形されたことから、この堰部材の存在によって底板の強度を向上させることができる。
【００１８】
請求項３に記載の発明には、次の作用がある。
【００１９】
室外ファンを収納するファンケーシングが底板の堰部材に当接することから、この堰部材によりファンケーシングを底板に支持させることができ、ファンケーシングの支持を確実化できる。
【００２０】
【発明の実施の形態】
以下、本発明の実施の形態を、図面に基づき説明する。
【００２１】
図１は、本発明に係る空気調和装置の一実施の形態を示す外観斜視図である。
【００２２】
図２は、図１の空気調和装置においてキャビネットを省略して示す分解斜視図である。
【００２３】
これらの図１及び図２に示す空気調和装置１０は、建物の図示しない壁を貫通して設置され、室内熱交換器１１、室内ファンとしてのクロスフローファン１２（図３）、室外熱交換器１３、室外ファンとしてのプロペラファン１４、及び圧縮機１５等が一体に設けられる一体型の空気調和装置である。
【００２４】
上述の室内熱交換器１１、クロスフローファン１２、室外熱交換器１３、プロペラファン１４及び圧縮機１５等は、底板１６上に配置されて空気調和装置本体１７を構成し、この空気調和装置本体１７の前方側（つまり室内熱交換器１１及びクロスフローファン１２の配置側）が前パネル１８で覆われ、後方側（つまり、室外熱交換器１３、プロペラファン１４及び圧縮機１５の配置側）がキャビネット１９により覆われて構成される。前パネル１８が、建物の室内に面して位置づけられる。また、キャビネット１９は、建物の壁を貫通して据え付けられるものであり、角筒（スリーブ）形状に形成されている。
【００２５】
図２乃至図４に示すように、上記空気調和装置本体１７においては、底板１６の前後方向略中央位置に仕切板２０が立設され、この仕切板２０は、底板１６の全幅方向に亘って延在される。この仕切板２０により、空気調和装置本体１７は、室内熱交換器１１及びクロスフローファン１２等が配置された室内側室２１と、室外熱交換器１３、プロペラファン１４及び圧縮機１５等が配置された室外側室２２とに区画される。従って、空気調和装置１０の前方に配置された前パネル１８は室内側室２１を覆い、また、空気調和装置１０の後方側に配置されたキャビネット１９は、室外側室２２の周囲を画成することになる。
【００２６】
上記底板１６の室外側室２２側に室外熱交換器１３、室外ファンケーシング２３、支持脚２４及び圧縮機１５が設置される。
【００２７】
この圧縮機１５は、室外熱交換器１３、減圧装置（不図示）及び室内熱交換器１１と図示しない冷媒配管を用いて順次接続されており、これらにより冷凍サイクルが構成される。空気調和装置１０の冷房運転時に、室外熱交換器１３が凝縮器として機能し、室内熱交換器１１が蒸発器として機能する。また、空気調和装置１０の暖房運転時に、室外熱交換器１３が蒸発器として、室内熱交換器１１が凝縮器としてそれぞれ機能する。
【００２８】
上記室外ファンケーシング２３は、室外熱交換器１３に連設されると共に、内部にプロペラファン１４が配設される。このプロペラファン１４は、室外駆動モータ２５により回転駆動され、この室外駆動モータ２５が上記支持脚２４に支持される。また、上記室外側室２２は、室外ファンケーシング２３によって、室外ファンケーシング２３内側の室外吐出室２６と、室外ファンケーシング２３外側の室外吸込室２７とに区画される。
【００２９】
上記プロペラファン１４の回転により、外気は、図４の矢印Ａに示すように、室外熱交換器１３両側の室外吸込口２８から室外吸込室２７内へ吸い込まれ、室外ファンケーシング２３のファン用オリフィス２９を経て室外吐出室２６内へ吐出され、室外熱交換器１３を通って室外吐出口３０から室外へ吐出される。上記室外熱交換器１３は、空気調和装置１０の冷房運転時に外気へ熱を放出し、また、暖房運転時に外気から熱を取り込む。
【００３０】
また、プロペラファン１４には、図３に示すように、各羽根の外周部に、これらの羽根を連結するスリンガリング３１が固着されている。空気調和装置１０の冷房運転時には、蒸発器として機能する室内熱交換器１１にドレン水が発生する。このドレン水は、後述のドレンパン３３に集水された後、仕切板２０の下端部に形成されたドレン開口４４を経て底板１６の貯溜部３２に貯溜される。上記スリンガリング３１は、プロペラファン１４の回転時に、貯溜部３２に溜まったドレン水を掻き上げ、このとき凝縮器として機能する室外熱交換器１３へ上記ドレン水を飛散させる。これにより、室外熱交換器１３の凝縮能力が向上する。
【００３１】
一方、上記底板１６の室内側室２１側にドレンパン３３が設置され、このドレンパン３３に室内熱交換器１１が載置される。また、前記仕切板２０は、室内側室２１側に開口を有する箱形状に形成され、この仕切板２０内に室内ファンケーシング３４が配置される。
【００３２】
この室内ファンケーシング３４は、仕切板２０の第１天面４１（後述）から湾曲してドレンパン３３に到り、この室内ファンケーシング３４の下端部に、室内熱交換器１１に隣接して電気ヒータ５５が設置される。また、湾曲する室内ファンケーシング３４の内側にクロスフローファン１２が配置される。従って、室内ファンケーシング３４は、仕切板２０とクロスフローファン１２との間に配置される。
【００３３】
クロスフローファン１２は、図４に示す室内駆動モータ３５により回転駆動され、これらのクロスフローファン１２及び室内駆動モータ３５が仕切板２０に支持される。上記室内ファンケーシング３４は、図３に示すように、室内側室２１側に室内循環室３６と外気導入室３７とを形成する。更に、室内側室２１には、図４に示すように、電装箱４５を収納する電装室４６が形成される。
【００３４】
図３に示すように、上記室内循環室３６内に、室内熱交換器１１、クロスフローファン１２、電気ヒータ５５が配置される。更に、この室内循環室３６内には、エアフィルタ３８及びスタビライザ３９が配置される。エアフィルタ３８は、前パネル１８に形成された吸込グリル４０と室内熱交換器１１との間に設置される。また、スタビライザ３９は、室内熱交換器１１の上方に設置されてクロスフローファン１２方向へ膨出して設けられる。このスタビライザ３９により、室内循環室３６内の空気がクロスフローファン１２に良好に吸い込まれ、このクロスフローファン１２から良好に吐出される。前パネル１８には、この吐出空気を建物の室内へ導く吹出グリル４３が、吸込グリル４０の上方に形成されている。
【００３５】
クロスフローファン１２の回転により、図３の矢印Ｂに示すように、建物の室内の空気が吸込グリル４０から室内側室２１の室内循環室３６内に取り込まれ、この空気は、エアフィルタ３８、室内熱交換器１１、電気ヒータ５５を順次経てクロスフローファン１２に吸い込まれ、このクロスフローファン１２により吐出されて、吹出グリル４３から室内へ吹き出される。上記室内熱交換器１１は、空気調和装置１０の冷房運転時に、室内循環室３６内に取り込まれた室内空気を冷却して室内を冷房し、また、暖房運転時に上記室内空気を加熱して室内を暖房する。
【００３６】
上記外気導入室３７は、室外側室２２を経て室内側室２１の室内循環室３６内へ外気を取り込み、建物の室内へ新鮮な空気を供給可能とする換気装置４７を構成する一構成要素である。この換気装置４７は、上記外気導入室３７の他、換気開口４８、換気シャッタ４９及び換気通気部５０Ａを有して構成される。
【００３７】
前記箱形状の仕切板２０には、第１天面４１よりも下段位置に、この第１天面４１に連設して第２天面４２が形成される。この第２天面４２は、室外側室２２の周囲を画成するキャビネット１９の内側に配置される。また、図４及び図５に示すように、第２天面４２に上記換気開口４８が、第２天面４２の長手方向に複数個、同一ピッチで並設されている。
【００３８】
上記第２天面４２には、多数の細穴５１を備えた上記換気シャッタ４９が載置される。これらの細穴５１は群毎にまとめられ、これら複数の細穴群５１Ａが、換気シャッタ４９の長手方向に同一ピッチで配置される。この細穴群５１Ａのピッチは、第２天面４２の換気開口４８のピッチと略同一に設定されている。
【００３９】
また、換気シャッタ４９には両端部に、換気シャッタ４９の長手方向に延びる長孔５２が形成される。換気シャッタ４９は、この長孔５２を貫通するビス５３によって、仕切板２０の第２天面４２に、この第２天面４２及び換気シャッタ４９の長手方向にスライド自在に取り付けられる。
【００４０】
図６に示すように、換気シャッタ４９のスライドにより、換気シャッタ４９の細穴群５１Ａが換気開口４８と一致した位置で換気開口４８が全開操作され、細穴群５１Ａが換気開口４８と一致せず、換気シャッタ４９が換気開口４８を塞ぐ位置でこの換気開口４８が全閉操作される。また、換気シャッタ４９のスライド位置によって、換気開口４８の開度が半開、２／３開など任意の位置に調整される。この換気開口４８の開操作により、図３の矢印Ｃに示すように、室外側室２２内に流入した外気がキャビネット１９に案内されて、換気シャッタ４９の細穴５１及び第２天面４２の換気開口４８を通り、外気導入室３７内に導入される。
【００４１】
ここで、換気開口４８は、室外側室２２側へ向かって下方に傾斜して構成される。これにより、第２天面４２とキャビネット１９との間の外気の流動面積が、第２天面４２が水平の場合に比べて拡大される。また、図６に示す換気シャッタ４９の細穴５１は、換気開口４８の開口面積に比べて著しく小さな穴径に形成される。これにより、この細穴５１は、エアフィルタの機能を果たし、例えば虫等の侵入を防止する穴径に設定される。
【００４２】
前記換気通気部５０Ａは、図５に示すように、室内ファンケーシング３４の下部に切り起こし処理等により複数の通気口５０が並設されて、鎧戸形状に形成されたものである。この換気通気部５０Ａは、仕切板２０のドレン開口４４に対応する位置を除いて、室内ファンケーシング３４の長手方向に複数設けられる。
【００４３】
図３に示すように、クロスフローファン１２の回転時には、室内循環室３６内におけるクロスフローファン１２の下方、つまり換気通気部５０Ａ近傍が負圧となる。このため、図３の矢印Ｃに示すように、換気シャッタ４９の細穴５１及び第２天面４２の換気開口４８を経て外気導入室３７内に導入された外気は、湾曲形状の室内ファンケーシング３４の外側を通って下方へ流動し、複数の換気通気部５０Ａの通気口５０を経て室内循環室３６内へ導かれる。この室内循環室３６内に導かれた外気は、室内熱交換器１１により空気調和された室内空気と混合して、図３の矢印Ｂに示すように、前パネル１８の吹出グリル４３から建物の室内へ導入され、この室内に新鮮な空気が供給される。
【００４４】
また、図５に示すように、換気シャッタ４９には、一端部に操作レバー５４が一体に結合されている。この操作レバー５４は、図２及び図６に示すように、室内熱交換器１１側へ延在して配設され、前パネル１８の取り外し時等に操作可能とされる。この操作レバー５４を水平方向に操作することによって、換気シャッタ４９がワイヤ等を介することなく直接スライドされ、換気開口４８の開度を全開または全閉操作する他、半開操作等のように換気開口４８の開度が任意に調整可能とされる。
【００４５】
ところで、図３に示すように、仕切板２０が立設される底板１６には、室外側室２２内に室外熱交換器１３が載置されている。この底板１６は、展性が高く伸び易い絞り材にて構成される。この底板１６の室外熱交換器１３近傍に、図８に示すように、ドレン水の流れを堰き止めるための堰部材５６が、絞り加工により一体成形されている。
【００４６】
この堰部材５６は、図７に示すように、中央部５６Ａが底板１６の幅Ｗ方向に延び、両端部５６Ｂが室内側室２１方向に延びるコ字形状に形成される。この堰部材５６によって、この堰部材５６の内側に、ドレン水を貯溜可能な前記貯溜部３２が形成される。
【００４７】
図３に示すように、空気調和装置１０の冷房運転時には室内熱交換器１１が蒸発器として機能し、室外熱交換器１３が凝縮器として機能する。室内熱交換器１１にて生成されたドレン水は、ドレンパン３３及び仕切板２０のドレン開口４４を経て底板１６の室外側室２２側へ流れ落ち、上記貯溜部３２に貯溜される。この貯溜部３２から溢水した余剰のドレン水は、ドレン排水口５７（図７）から排出される。貯溜部３２に貯溜されたドレン水は、前述のように、プロペラファン１４におけるスリンガリング３１の回転により掻き上げられて飛散され、室外熱交換器１３に付着する。この室外熱交換器１３に付着したドレン水が蒸発して、室外熱交換器１３の凝縮能力が向上する。
【００４８】
また、空気調和装置１０の暖房運転時には、室内熱交換器１１が凝縮器として機能し、室外熱交換器１３が蒸発器として機能する。この室外熱交換器１３にて生成されたドレン水は、図８に示すように、底板１６において、室外熱交換器１３を載置する堰部材５６の外側領域５８に貯溜され、堰部材５６の内側である貯溜部３２内へ流入することが堰部材５６によって防止される。室外熱交換器１３により生成されたドレン水が貯溜部３２内に流入すると、このドレン水が凍結し、プロペラファン１４のスリンガリング３１が、この凍結したドレン水に衝突して異音を発生する恐れがある。上記堰部材５６は、この異音の発生を防止するために、室外熱交換器１３にて生成されたドレン水が貯溜部３２内へ流入することを阻止するものである。
【００４９】
図３及び図６に示すように、この堰部材５６、特に堰部材５６の両端部５６Ｂに室外ファンケーシング２３が当接して配置される。これにより、室外ファンケーシング２３は、堰部材５６を介して底板１６に良好に支持される。
【００５０】
従って、上記実施の形態によれば、次の効果▲１▼〜▲４▼を奏する。
【００５１】
▲１▼室外熱交換器１３が配置される底板１６には、この室外熱交換器１３の近傍に、ドレン水の流れを堰き止める堰部材５６が一体に形成されたことから、この堰部材５６を底板１６とは別体部品にて製作し、この別体部品を底板１６に固着し、これらの間に密封処理を施す場合に比べて、底板１６の製造コストを低減できる。
【００５２】
▲２▼堰部材５６が絞り加工により一体成形されたことから、この堰部材５６の存在によって底板１６の強度を向上させることができる。
【００５３】
▲３▼堰部材５６は、中央部５６Ａが底板１６の幅Ｗ方向に延びるコ字形状に形成されたことから、室外熱交換器１３が凝縮器として機能する時には、堰部材５６の内側の貯溜部３２にドレン水を貯溜し、このドレン水を、プロペラファン１４のスリンガリング３１の回転により凝縮器に飛散させて凝縮能力を向上させ、また、室外熱交換器１３が蒸発器として機能する時には、この蒸発器にて生成されたドレン水が堰部材５６の内側の貯溜部３２に流入して、この流入したドレン水が凍結してスリンガリング３１に衝突することを防止できる。
【００５４】
▲４▼プロペラファン１４を収納する室外ファンケーシング２３が底板１６の堰部材５６に当接することから、この堰部材５６により室外ファンケーシング２３を底板１６に支持させることができ、底板１６の支持を確実化できる。
【００５５】
以上、本発明を上記実施の形態に基づいて説明したが、本発明はこれに限定されるものではない。
【００５６】
【発明の効果】
以上のように、本発明に係る空気調和装置によれば、底板の製造コストを低減できる。
【図面の簡単な説明】
【図１】本発明に係る空気調和装置の一実施の形態を示す外観斜視図である。
【図２】図１の空気調和装置においてキャビネットを省略して示す分解斜視図である。
【図３】図１の空気調和装置の縦断面図である。
【図４】図１の空気調和装置においてキャビネットを省略して示す平面図である。
【図５】図２の仕切板、クロスフローファン及び換気装置等を示す分解斜視図である。
【図６】図５の換気装置等を組み付けた状態を示す図４に対応した平面図である。
【図７】図２の底板、ドレンパン及び仕切板の分解斜視図である。
【図８】図２の底板、ドレンパン、室内熱交換器及び室外熱交換器の組み付け状態を示す斜視図である。
【符号の説明】
１０  空気調和装置
１１  室内熱交換器
１２  クロスフローファン（室内ファン）
１３  室外熱交換器
１４  プロペラファン（室外ファン）
１６  底板
１９  キャビネット
２０  仕切板
２１  室内側室
２２  室外側室
２３  室外ファンケーシング
３１  スリンガリング
５６  堰部材
５６Ａ  堰部材の中央部
５６Ｂ  堰部材の端部
５８  外側領域
【図１】
0004711567.tif 000002
【図２】
0004711567.tif 000003
【図３】
0004711567.tif 000004
【図４】
0004711567.tif 000005
【図５】
0004711567.tif 000006
【図６】
0004711567.tif 000007
【図７】
0004711567.tif 000008
【図８】
0004711567.tif 000009